(57)【特許請求の範囲】
【請求項１】
横方向に所定間隔毎に配設された縦桟部材と、該縦桟部材の上下に配設、固定された鋼板材からなる横桟部材と、横桟部材に略平行で且つ縦桟部材に上下に所定間隔毎に並設、固定された羽根板とよりなる目隠しパネルを２枚以上、縦列状態に積み重ねて張設すると共に、上下に隣接する目隠しパネル間の継ぎ目を下側の目隠しパネルにおける最上部の羽根板の上端部、又は、上側の目隠しパネルにおける最下部の羽根板の下端部によって被覆、遮蔽してなり、さらに、目隠しパネルにおける上記上下横桟部材の後端縁に、目隠しパネルの後面側に向かって直角に屈折してなる補強板部が一体に設けられている一方、この目隠しパネルを支柱に固定、支持させる取付金具は、上記補強板部の両側端部後面にその前端部を一体に固着しているアーム片と、支柱に固着される平面Ｌ字状の金具片とからなり、上記アーム片の後端縁に目隠しパネルの面に平行する方向に屈曲した連結片部が形成されていてこの連結片部を上記Ｌ字状金具片の前半片部の前面に重ね合わせてボルトにより固着され、このＬ字状金具片における上記前半片部に対して直角に連設している後半片部をボルトにより支柱に固着していることを特徴とするフェンス構造。
【請求項２】
目隠しパネルは横方向に所定間隔毎に立設されている支柱間に張設されてあり、支柱は目隠しパネルの縦幅の数倍の長さに形成されていて隣接する支柱間に目隠しパネルを２枚以上縦列状態に積み重ねて張設していることを特徴とする請求項１に記載のフェンス構造。
【請求項３】
上側の目隠しパネルの最下部の羽根板と下側の目隠しパネルの最上部の羽根板との間の間隔を、これらの目隠しパネルに張設している上下に隣接する羽根板の間隔に等しくしていることを特徴とする請求項１に記載のフェンス構造。
【発明の詳細な説明】
【０００１】
【発明の属する技術分野】
本発明は、建物の外壁に沿って張設して外部からの透視を遮断し、プライバシーの保護を図るフェンス構造に関するものである。
【０００２】
【従来の技術】
従来から、建物におけるベランダ側に面した部屋等は外部から見えやすいので、ベランダにおける手摺り壁（パラペット）上に一定高さのフェンスを張設してこのフェンスにより目隠しを行っている。このようなフェンスとしては、種々の構造のものが知られているが、基本的には図14、図15に示すように、建物のベランダにおける手摺り壁上に一定高さの支柱11、11・・を横方向に一定間隔毎に立設し、隣接する支柱11、11間に採光性を有する正面矩形状の目隠しパネル12を張設してなる構造が広く採用されている。
【０００３】
また、上記目隠しパネル12としては、上下方向に一定間隔を存して笠木13、14を互いに平行に配設すると共に上側笠木13の下面と下側笠木14の上面とに上下端面を固着させた一定長さの縦桟部材15をこれらの上下笠木13、14の長さ方向に一定間隔毎に取付け、さらに、横長長方形状の羽根板16を上下方向に小間隔毎に張設してこれらの羽根板16を縦桟部材15に挿通、支持させた構造のものが知られている。
【０００４】
【発明が解決しようとする課題】
しかしながら、上記のようなフェンスでは施工高さが最大1560mm程度、標準では1200mmであって比較的低いために、外部に対して建物の外壁の下半部を目隠し状態にすることができるが、高さが３ｍ以上もある外壁全体を目隠しすることができない。この建物の外壁全体をフェンスにより目隠しするには、上記目隠しパネル12として上下方向の長さ、即ち、高さが大なるパネルを使用すれば可能であるが、この目隠しパネル12は構造上、高くすれば強度が著しく低下するので必要以上に高くすることができず、また、高さの大なるパネルでは取扱性、施工性に困難をきたして採用することができないという問題点がある。
【０００５】
そのため、上記一定高さの目隠しパネル12を２枚以上、図16に示すように、縦方向に積み重ね状態にして支柱間に張設することにより、建物の外壁を全面的に目隠し得る高さのフェンスを構成することが考えられるが、この目隠しパネル12を上下方向に縦列状態に積み重ねた場合、上側の目隠しパネル12の下側笠木14と、下側の目隠しパネル12の上側笠木13と、それら笠木13、14との間の隙間がフェンスの横目地となって外部に露呈し、外観を損なうという問題点が生じる。
【０００６】
また、高さの低い上記フェンスにおいては、目隠しパネル12を支柱11に固定するには上記図15に示すように、該目隠しパネル12の下端側においては下側笠木14の下面から前面に亘って直角に屈曲した受け金具17により該下側笠木14を支持した状態にしてこの受け金具17を支柱11の下端部前面にビス等により固着し、上端側においては上側笠木13の上面から前面に亘って直角に屈曲した係止金具18により該上側笠木13を保持した状態にしてこの係止金具18を支柱11の上端面にビス等により固着する構造を採用して支柱11に目隠しパネル12を張設することができるが、この目隠しパネル12を２枚以上、高さの大なる支柱11、11間に上下方向に積み重ね状態に張設して上述したように、建物の外壁を全面的に目隠しし得る高さのフェンスを施工する場合には、上記のような金具17、18では、目隠しパネル12を支柱11に固定することが困難である。
【０００７】
本発明はこのような問題点に鑑みてなされたもので、その目的とするところは、建物の外壁を全面的に体裁よく且つ採光性を損なうことなく目隠しすることができ、その施工も強固に且つ容易に行うことができるフェンス構造を提供するにある。
【０００８】
【課題を解決するための手段】
上記目的を達成するために、本発明のフェンス構造は、請求項１に記載したように、横方向に所定間隔毎に配設された縦桟部材と、該縦桟部材の上下に配設、固定された鋼板材からなる横桟部材と、横桟部材に略平行で且つ縦桟部材に上下に所定間隔毎に並設、固定された羽根板とよりなる目隠しパネルを２枚以上、縦列状態に積み重ねて張設すると共に、上下に隣接する目隠しパネル間の継ぎ目を下側の目隠しパネルにおける最上部の羽根板の上端部、又は、上側の目隠しパネルにおける最下部の羽根板の下端部によって被覆、遮蔽してなり、さらに、目隠しパネルにおける上記上下横桟部材の後端縁に、目隠しパネルの後面側に向かって直角に屈折してなる補強板部が一体に設けられている一方、この目隠しパネルを支柱に固定、支持させる取付金具は、上記補強板部の両側端部後面にその前端部を一体に固着しているアーム片と、支柱に固着される平面Ｌ字状の金具片とからなり、上記アーム片の後端縁に目隠しパネルの面に平行する方向に屈曲した連結片部が形成されていてこの連結片部を上記Ｌ字状金具片の前半片部の前面に重ね合わせてボルトにより固着され、このＬ字状金具片における上記前半片部に対して直角に連設している後半片部をボルトにより支柱に固着してなる構造としている。
【０００９】
このように構成したフェンス構造において、請求項２に係る発明は、目隠しパネルを張設する支柱の長さを目隠しパネルの縦幅の数倍の長さに形成して、隣接する支柱間に目隠しパネルを２枚以上縦列状態に積み重ねて張設していることを特徴とし、請求項３に係る発明は、上側の目隠しパネルの最下部の羽根板と下側の目隠しパネルの最上部の羽根板との間の間隔を、これらの目隠しパネルに張設している上下に隣接する羽根板の間隔に等しくしていることを特徴とする。
【００１０】
【作用】
目隠しパネルは、上下に対向させた横桟部材間に複数本の縦桟部材を横方向に並列して一体に連結し、これらの縦桟部材に複数枚の羽根板を上下方向に所定間隔毎に並設していると共に、最上部の羽根板の上端部を上側の横桟部材から上方に突出させているか、若しくは、最下部の羽根板の下端部を下側の横桟部材から下方に突出させているので、この目隠しパネルを縦列状態に積み重ねて張設した場合、上下に隣接する目隠しパネル間に生じる隙間が上側の目隠しパネルの最下部の羽根板により、又は、下側の目隠しパネルの最上部の羽根板により覆い隠されて、上下目隠しパネルがあたかも一枚の目隠しパネルのように連続した外観を呈し、且つ、建物の外壁全体を外部に対して目隠しすることができる。
【００１１】
目隠しパネルの上記上下横桟部材として、従来のような比較的厚みの大きい笠木に代えて平面横長長方形状の鋼板材等から形成した厚みの小さい横桟部材を用いることにより、上下目隠しパネル間における上側の目隠しパネルの最下部の羽根板と下側の目隠しパネルの最上部の羽根板との間の間隔が狭くなってこれらの目隠しパネルに張設している上下に隣接する羽根板の間隔に等しい間隔となるように張設することが容易になり、外観が一段と優れたフェンス構造となる。
【００１２】
上記目隠しパネルを、この目隠しパネルの縦幅の数倍の長さに形成されている支柱間に２枚以上縦列状態に積み重ねて張設してフェンスを構成する場合、各目隠しパネルを隣接する支柱の対向側端面間に介在させることなく、その両側端部を隣接する支柱の前面側に配設することによって、横方向に並設する目隠しパネルの対向側端面を突き合わせ状態にし、且つ、これらの目隠しパネルの上下端面板の両側端部における後端面を取付金具によって支柱に固定することにより、支柱が目隠しパネルに隠蔽された構造となる上に、目隠しパネルが横方向に連続した外観を呈して一層、体裁のよいフェンス構造を構成する。
【００１３】
また、目隠しパネルの上記上下端面板の後端縁に、該目隠しパネルの後面側に向かって直角に屈折してなる補強板部を一体に形成しておくことにより、目隠しパネルの強度が増大する。その上、目隠しパネルを支柱に連結、固定させるための上記取付金具として、この補強板部の両側端部後面に前端部を一体に固着し且つ後端縁に目隠しパネルの面に平行する方向に屈曲した連結片部を形成しているアーム片と、支柱に固着される平面Ｌ字状の金具片とから構成し、アーム片の連結片部を上記Ｌ字状金具片の前半片部の前面に重ね合わせてボルトにより固着すると共に、このＬ字状金具片における上記前半片部に対して直角に連設している後半片部をボルトにより支柱に固着することにより、支柱に対する目隠しパネルの施工が容易に且つ正確に行える。
【００１４】
【発明の実施の形態】
次に、本発明の実施の形態を図面について説明すると、目隠しパネルＡは図１〜図３に示すように、上下に所定間隔を存して対向している横桟部材１、２間に横方向に所定間隔毎に一定長さのアルミニウム製形材からなる縦桟部材３、３、３・・・を配設してこれらの縦桟部材３の上端面を上側横桟部材１の下面に、下端面を下側横桟部材２の上面に固着し、且つ、上下横桟部材１、２間にこれらの横桟部材１、２と略平行にして複数枚の横長長方形状の羽根板４、４・・・を上下方向に一定間隔毎に並設し、各羽根板４をルーバ状に傾斜させた状態にして縦桟部材３に取付けてなるものである。
【００１５】
上記羽根板４は、ポリカーボネート樹脂等の透光性を有する合成樹脂板からなり、その縦幅方向の中央部を上端から下端に向かって斜め後方に傾斜した傾斜部4aに形成していると共に、縦幅方向の上下部をこの傾斜部4aの上下端からそれぞれ上下方向に垂直状に延設した一定の縦幅を有する垂直部4b、4cに形成してなり、傾斜部4aには、上記縦桟部材３を挿通させてこの縦桟部材３に係止、固定させる挿通孔（図示せず）を長さ方向（水平方向）に縦桟部材３と同一間隔毎に設けている。なお、羽根材としては幅狭い平板を斜めに取付けたものなど、他の形状であってもよい。
【００１６】
そして、各羽根板４を縦桟部材３に上下方向に所定間隔毎に取付けた状態においては、上側垂直部4bが縦桟部材３の前面側に配設され、下側垂直部4cが縦桟部材３の後面側に配設されている。さらに、最上部に配設されている羽根板４の上側垂直部4bを図３に示すように、上側横桟部材１の前端面近傍部を通過させてこの前端面から上方に突出させた構造としている。なお、羽根板４を図４に示すように、その傾斜部4aを上端から下端に向かって斜め前方に傾斜した状態で縦桟部材３に取付けておいてもよく、この場合には、下側垂直部4cが縦桟部材３の前面側に配設され、且つ、最下部に配設されている羽根板４の下側垂直部4cが下側横桟部材１の前端面から下方に突出させた目隠しパネルＡを構成している。
【００１７】
上記上下横桟部材１、２は鋼板材からなり、羽根板４と略同一長さを有する平面横長長方形の帯板形状に形成されていると共に、これらの上下横桟部材１、２の長辺縁である前後端縁における後端縁に、目隠しパネルＡの上下端部における後面側に向かってそれぞれ直角に屈折してなる補強板部1a、2aを一体に設けている。なお、横桟部材１、２と補強板部1a、2aとは、一定幅と長さを有する長方形状の鋼板材の幅方向の中央部を全長に亘って直角に屈折させることによって一方を横桟部材に、他方を補強板部に形成してなるものである。
【００１８】
図５は上記のように構成している目隠しパネルＡを張設してなるフェンス全体の簡略側面図、図６はその正面図であって、このフェンスは建物Ｂの外壁に沿って設けているベランダや通路の外端縁におけるコンクリートパラペット等の低壁部上に、横方向に一定間隔毎に立設、固定している横断面矩形状の角パイプからなる支柱５と、隣接する支柱５、５の前面間に張設された複数枚の透光性を有する上記目隠しパネルＡとからなり、支柱５は目隠しパネルＡの縦幅の数倍の長さ（図においては３倍）に形成されていて各隣接する支柱５、５の前面間に２枚以上の目隠しパネルＡを、下側の目隠しパネルＡの上端面に上側の目隠しパネルＡの下端面を僅かな隙間を存して縦列状態に積み重ねて、取付金具６により目隠しパネルＡを支柱５に連結、固定することにより、図７、図８に示すように建物Ｂの外壁ｂを全面的に目隠ししたフェンス構造を構成している。なお、支柱５は定尺の支柱を溶接等により継ぎ足して上記の長さを有する一本の支柱に形成してもよい。
【００１９】
目隠しパネルＡを支柱５に固定、支持させる取付金具６は、図９〜図12に示すように目隠しパネルＡの上下横桟部材１、２の上記補強板部1a、2aにおける両側端部後面に前端部を溶接等によって一体に固着しているアーム片７と、このアーム片７を支柱５に連結、固定させる平面Ｌ字状に屈折した金具片８とからなる。
【００２０】
このアーム片７は、前後方向に一定の長さを有する側面矩形状の垂直板部7aの前後端にこの垂直板部7aに対して側方に直角、即ち、目隠しパネル２の面に平行する方向に屈曲した前側板片部7bと後側連結片部7cとを一体に形成してなり、前側板片部7bの前面を上記上下横桟部材１、２の補強板部1a、2aの両側端部後面に当てがった状態で固着している一方、後側連結片部7cの中央部に前後方向に貫通したボルト取付孔7dを設けている。一方、平面Ｌ字状に屈曲した金具片８は、前半片部8aとこの前半片部8aに対して直角に屈折してなる後半片部8bとにボルト取付孔8c、8dをそれぞれ設けている。
【００２１】
このように構成している取付金具６によって支柱５、５の前面間に複数枚の目隠しパネルＡが、下側の目隠しパネルＡの上側横桟部材１に上側の目隠しパネルＡの下側横桟部材２が僅かな隙間、例えば５〜25mmの隙間を存して重ね合わせた状態で且つ下側の目隠しパネルＡにおける最上部の羽根板４の上側垂直部4bによってこれらの上下横桟部材１、２と上記僅かな隙間を覆い隠した状態にして固定されたフェンスを構成している。
【００２２】
このようなフェンスの構造を、その施工手順に従ってさらに詳しく説明すると、まず、建物Ｂの外壁ｂに沿った通路等の外端縁に形成している低壁部上に、上記支柱５を目隠しパネルＡの横幅間隔毎に垂直に立設する。この支柱５を立設する際、或いは立設後に、各支柱５における目隠しパネルＡの取付位置に対応する部分に、図11に示すように、支柱５の両側面間に亘って水平に貫通したボルト挿通孔９を穿設しておき、このボルト挿通孔９の穿設部分における支柱５の両側面にＬ字状金具片８、８の後半片部8b、8bを当てがって、これらの後半片部8b、8bに設けているボルト取付孔8d、8dを上記ボルト挿通孔９の両側開口端に合致させた状態にし、ボルト挿通孔９の一方の開口端から他方の開口端に向かってボルト10を挿通してナット11を該ボルト10の先端部に螺締することにより、支柱５の両側面にＬ字状金具片８、８を固着する。
【００２３】
このＬ字状金具片８は支柱５の両側面において、支柱５の長さ方向に目隠しパネルＡの縦幅間隔毎に固着され、しかるのち、Ｌ字状金具片８にアーム片７を介して目隠しパネルＡを取付けることによって目隠しパネルＡを張設する。
【００２４】
目隠しパネルＡにはその上下横桟部材１、２の後端縁に直角に屈折してなる補強板部1a、2aにおける両側端部の後面にアーム片７の前側板片部7bが一体に固着されている。即ち、目隠しパネルＡにはその後面四隅部にアーム片７を固着してあり、これらのアーム片７の後側連結板片部7cを隣接する支柱５、５における相対した側面において、目隠しパネルＡの縦幅間隔を存して固着しているＬ字状金具片８の前半片部8aの前面に重ね合わせ、互いに連通したボル取付孔7d、8c間をボルト・ナット12によって固着することにより、目隠しパネルＡを支柱５、５の前面間に張設する。
【００２５】
なお、アーム片７は、予め、目隠しパネルＡの上下横桟部材１、２の補強板部1a、2aに溶接によって一体に取付けているが、ボルト等によって取付けるように構成しておいてもよい。
【００２６】
こうして、アーム片７とＬ字状金具片８とからなる取付金具６によって目隠しパネルＡを、各隣接する支柱５、５の前面間における下部と中間部、及び上部とに順次、張設して建物Ｂの外壁ｂを全面的に覆い隠す３ｍ以上の高さに達するフェンスを構成するものであるが、横方向に隣接する目隠しパネルＡ、Ａ同士は図11に示すように、互いにその対向する両側端面、即ち、羽根板４、４の対向端面を一直線上で突き合わせ状態にして連続した状態で張設され、上下に隣接する目隠しパネルＡ、Ａにおいては、図９に示すように、下側の目隠しパネルＡの上側横桟部材１に上側の目隠しパネルＡの下側横桟部材２が僅かな隙間を存して重ね合わせた状態で且つ下側の目隠しパネルＡにおける最上部の羽根板４の上側垂直部4bによってこれらの上下横桟部材１、２を覆い隠した状態となるように張設されている。
【００２７】
なお、各目隠しパネルＡにおいて、羽根板４が図４に示すようにその傾斜部4aを上端から下端に向かって斜め前方に傾斜した状態で縦桟部材３に取付けている場合には、図13に示すように、下側垂直部4cが縦桟部材３の前面側に配設され、且つ、最下部に配設されている羽根板４の下側垂直部4cが下側横桟部材１の前端面から下方に突出させているので、この目隠しパネルＡによってフェンスを構成した場合には、図13に示すように、上側の目隠しパネルＡにおける最下部の羽根板４の下側垂直部4cによって上下目隠しパネルＡ、Ａの隙間を存して対向している上下横桟部材１、２が覆い隠した状態となるように張設されたフェンス構造となる。
【００２８】
また、支柱５、５間における最下部に張設される目隠しパネルＡの下端両側部の取付金具６と、最上部に張設される目隠しパネルＡの上端両側部の取付金具６とは、図12に示すように、Ｌ字状金具片８の上下方向の長さをアーム片７の上下方向の長さ寸法に略等しく形成してＬ字状金具片８に一つのアーム片７をボルト・ナット11により連結、固定するように構成しているが、この部分以外の取付箇所においては、図９、図10に示すように、一片のＬ字状金具片８に二片のアーム片７、７を上下に重ね合わせ状態にしてボルト・ナット12、12により固着させ、上側のアーム片７に上側の目隠しパネルＡの下端側端部を支持させる一方、下側のアーム片７に下側の目隠しパネルＡの上端側端部を支持させて、上下目隠しパネルＡ、Ａを、その対向する上下横桟部材１、２間に僅かな隙間が存する状態で支柱５、５間に張設させている。
【００２９】
さらに、上側の目隠しパネルＡの最下部の羽根板４と、下側の目隠しパネルＡの最上部の羽根板４との間の間隔を、これらの目隠しパネルＡに張設している羽根板４の上下間隔に等しくしておくことが望ましく、このように構成しておけば、上下に並設した複数枚の目隠しパネルＡが、あたかも一枚物としての外観を呈したフェンスを構成することができる。
【００３０】
【発明の効果】
以上のように本発明のフェンス構造によれば、請求項１に記載したように、横方向に所定間隔毎に配設された縦桟部材と、該縦桟部材の上下に配設、固定された横桟部材と、横桟部材に略平行で且つ縦桟部材に上下に所定間隔毎に並設、固定された羽根板とよりなる目隠しパネルであって、最上部の羽根板の上端部を上側の横桟部材から上方に突出させているか、若しくは、最下部の羽根板の下端部を下側の横桟部材から下方に突出させた構造としているので、この目隠しパネルを縦列状態に積み重ねて張設した場合、上下に隣接する目隠しパネル間に生じる隙間を上側の目隠しパネルの最下部の羽根板により、又は、下側の目隠しパネルの最上部の羽根板により覆い隠すことができ、従って、上下目隠しパネルがあたかも一枚の目隠しパネルのように連続した外観を呈し、且つ、建物の外壁全体を外部に対して目隠したフェンスを構成することができる。
【００３１】
このように構成した目隠しパネルにおいて、上記上下横桟部材を従来の目隠しパネルにおける比較的厚みの大きい笠木に代えて平面横長長方形状の鋼板材から形成しているので、上下目隠しパネル間における上側の目隠しパネルの最下部の羽根板と下側の目隠しパネルの最上部の羽根板との間の間隔を狭くすることができ、そのため、これらの目隠しパネルに張設している上下に隣接する羽根板の間隔に等しい間隔となるように張設することができて見栄えのよいフェンスを組み立てることができる。
【００３２】
その上、上記フェンス構造において、目隠しパネルを２枚以上、縦列状態に積み重ねて張設すると共に、上下に隣接する目隠しパネル間の継ぎ目を下側の目隠しパネルにおける最上部の羽根板の上端部、又は、上側の目隠しパネルにおける最下部の羽根板の下端部によって被覆、遮蔽しているので、建物の外壁全体を外部に対して全面的に目隠しすることができる所望高さのフェンスを構成することができる。
【００３３】
さらに、目隠しパネルの上下端面板の後端縁に、後面側に向かって直角に屈折してなる補強板部が一体に設けられているので、強度的にも優れた目隠しパネルを形成することができると共に、目隠しパネルを支柱に連結、固定させるための上記取付金具として、上記補強板部の両側端部後面に前端部を一体に固着しているアーム片と、支柱に固着される平面Ｌ字状の金具片とからなり、上記アーム片の後端縁に目隠しパネルの面に平行する方向に屈曲した連結片部が形成されていてこの連結片部を上記Ｌ字状金具片の前半片部の前面に重ね合わせてボルトにより固着され、このＬ字状金具片における上記前半片部に対して直角に連設している後半片部をボルトにより支柱に固着しているので、長い支柱に対して複数枚の目隠しパネルを取付金具によって縦列方向に強固に且つ正確に取付けることができると共にその施工も容易となる等の多大な作用効果を奏することができる。
【００３４】
このフェンス構造において、請求項２に記載したように、目隠しパネルは横方向に所定間隔毎に立設されている支柱間に張設されてあり、支柱は目隠しパネルの縦幅の数倍の長さに形成されていて隣接する支柱間に目隠しパネルを２枚以上縦列状態に積み重ねて張設しているので、目隠しパネルの縦幅の数倍の長さに形成されている支柱間に２枚以上縦列状態に積み重ねて張設してフェンスを構成する場合、各目隠しパネルを隣接する支柱の対向側端面間に介在させることなく、その両側端部を隣接する支柱の前面側に配設することによって、横方向に並設する目隠しパネルの対向側端面を突き合わせ状態にしたフェンスを構成することができ、従って、支柱が目隠しパネルによって全面的に隠蔽されたフェンス構造となる上に、目隠しパネルが横方向に連続した外観を呈して一層、体裁のよいフェンス構造を構成する。
【００３５】
さらに、請求項３に係る発明によれば、上側の目隠しパネルの最下部の羽根板と下側の目隠しパネルの最上部の羽根板との間の間隔を、これらの目隠しパネルに張設している上下に隣接する羽根板の間隔に等しくしているので、目隠しパネルが縦方向においても連続してあたかも１枚物のような優れた外観を呈することができる。
【図面の簡単な説明】
【図１】  目隠しパネルの簡略正面図、
【図２】  その簡略側面図、
【図３】  中間部を切除した上記目隠しパネルの側面図、
【図４】  その変形例を示す側面図、
【図５】  フェンスの簡略側面図、
【図６】  その正面図、
【図７】  建物の外壁全面をフェンスによって覆い隠した状態の簡略正面図、
【図８】  その簡略縦断側面図、
【図９】  支柱に上下の目隠しパネルを取付けた状態の要部の側面図、
【図１０】  その斜視図、
【図１１】  その横断面図、
【図１２】  最上部と最下部の目隠しパネルの取付状態を示す側面図、
【図１３】  上下目隠しパネルの対向部を羽根板によって被覆した別な構造を示す側面図、
【図１４】  従来例を示すフェンスの簡略正面図、
【図１５】  その側面図、
【図１６】  目隠しパネルを縦列方向に積み重ねた状態の要部の簡略側面図。
【符号の説明】
Ａ  目隠しパネル
Ｂ  建物
１、２  上下横桟部材
1a、2a  補強板部
３  縦桟部材
４  羽根板
５  支柱
６  取付金具
７  アーム片
８  Ｌ字状金具片
【図１】
0003840137.tif 000002
【図２】
0003840137.tif 000003
【図３】
0003840137.tif 000004
【図４】
0003840137.tif 000005
【図５】
0003840137.tif 000006
【図６】
0003840137.tif 000007
【図７】
0003840137.tif 000008
【図８】
0003840137.tif 000009
【図９】
0003840137.tif 000010
【図１０】
0003840137.tif 000011
【図１１】
0003840137.tif 000012
【図１２】
0003840137.tif 000013
【図１３】
0003840137.tif 000014
【図１４】
0003840137.tif 000015
【図１５】
0003840137.tif 000016
【図１６】
0003840137.tif 000017